(57)【要約】【課題】  引手やハンドルにラッチの解除レバーや解除ノブを設けることを要しないラッチ機構を提供すること。【解決手段】  引出し本体における前面板を、前面板本体1とその外面に装着される鏡板6の２層構造に形成し、その鏡板６の下部を前面板本体１に対し水平な軸15a，15bで枢着して当該鏡板６を前記軸15a，15bを中心にして前後揺動可能に設けると共に、前記前面板本体１の前面に、下部がバネ7cを介挿した水平軸８で枢着されその水平軸８を中心に前後揺動可能かつ常時起立側に前記バネ7cで付勢された揺動体９であって、前記鏡板６の揺動に連動される揺動体９を設ける一方、前記前面板に近い引出し本体の側壁３外面に、垂直軸11で枢着されて平面内で角回転可能であってバネによって常時掛止側に付勢されたラッチ部材14を設け、かつ、前記揺動体９の前後揺動を前記ラッチ部材14のラッチ解除側に水平面内で回転させる回転変換部8a，13を前記揺動体の水平軸８とラッチ部材の垂直軸11により形成してラッチ機構を構成し、前記鏡板６を手前に引いて揺動させるとラッチ部材14がラッチ解除側に回転されるように形成したこと。【選択図】図１
2005336913.tif 000002
【特許請求の範囲】
【請求項１】
引出し本体における前面板を、前面板本体とその外面に装着される鏡板の２層構造に形成し、その鏡板の下部を前面板本体に対し水平な軸で枢着して当該鏡板を前記軸を中心にして前後揺動可能に設けると共に、前記前面板本体の前面に、下部がバネを介挿した水平軸で枢着されその水平軸を中心に前後揺動可能かつ常時起立側に前記バネで付勢された揺動体であって、前記鏡板の揺動に連動される揺動体を設ける一方、前記前面板に近い引出し本体の側壁外面に、垂直軸で枢着されて平面内で角回転可能であってバネによって常時掛止側に付勢されたラッチ部材を設け、かつ、前記揺動体の前後揺動を前記ラッチ部材のラッチ係止解除側に水平面内で回転させる回転変換部を前記揺動体の水平軸とラッチ部材の垂直軸により形成してラッチ機構を構成し、前記鏡板を手前に引いて揺動させるとラッチ部材がラッチ解除側に回転されるように形成したことを特徴とする引出しのラッチ機構。
【請求項２】
鏡板を上，下で二分した形態とし、その上半部を水平な軸を介して下半部又は前面板本体に前後揺動可能に枢着した請求項１の引出しのラッチ機構。
【請求項３】
家具の扉を外面板と内面板の２層構造に形成し、その外面板の一側端部を内面板の対応する端部に垂直な軸で枢着して当該外面板を前記軸を中心にして前後揺動可能に設ける一方、前記内面板の他側端の側に、バネを介挿した垂直軸によって枢着されその軸を中心に前後揺動可能かつ常時内面板側に前記バネで付勢された揺動体であって、前記前面板の揺動に連動する揺動体を設けると共に、この内面板の前記垂直軸に近い他側端側に、第二垂直軸により枢着されることにより平面内で角回転可能であって、バネによって常時係止側に付勢されたラッチ部材を設け、かつ、前記揺動体の前後揺動を前記ラッチ部材の係止解除側に水平回転させる回転変換部を前記揺動体の垂直軸とラッチ部材により形成してラッチ機構を構成し、前記外面板を手前に引いて揺動させると前記ラッチ部材が解除側に回転されるように形成したことを特徴とする扉のラッチ機構。
【請求項４】
外面板を左右で二分した形態とし、そのラッチ機構が設けられる側をもう一方の側又は内面板に前後揺動可能に枢着した請求項３の扉のラッチ機構。
【発明の詳細な説明】
【技術分野】
【０００１】
本発明は、スチール家具のデスクやキャビネット等の引出し、或は、両開き扉や片開き扉において、引出し操作や開き操作に連動してラッチが解除されるラッチ機構に関する。
【背景技術】
【０００２】
従来からスチール家具におけるデスクやキャビネットなどの引出しにおいては、引出し本体の勝手な飛出し動作を防ぐため引出し本体を収めた状態でラッチが掛止され引出しの飛出しを防ぎ、引出しを引出す操作をする際に掛止されているラッチが解除されるラッチ機構が採用されている。一方、ロッカーやキャビネットなどにおける両開き扉や片開き扉においても、扉を閉めた状態でラッチが扉受け枠などの側に設けたラッチ受けに係止され、扉を開けるときに、扉のハンドルや引手に設けたラッチ解除ノブなどを操作しないとその扉を開けることができないラッチ機構が採用されている。
【０００３】
従来のラッチ機構は、例えば引出しにおいては、引出し本体の鏡板（外面化粧板）にそれと一体に形成されるか、或は、別体に設けられた、例えば、断面が凹状をなす引手（又はハンドル）の中に、ラッチ機構の解除レバーなどの解除部材を別に設け、引手に手を掛けたとき前記解除レバーなどを操作してラッチの掛止を解除し、それから引出し本体を手前に引出すようになっている。扉のラッチ機構も上記の引出しのラッチ機構と概ね同様である。
【０００４】
しかし、従来のラッチ機構は、引手やハンドルの中にラッチの解除レバーや解除ノブなどを組込むため、引手やハンドルのデザインが解除レバーや解除ノブを内部に隠せる凹状のものに限定されたり、鏡板に前記引手やハンドルを取付けることができるように特別の工作や加工を要するなどの問題点がある。このような問題点に鑑み、本出願人は先に特許文献１の発明を提案している。
【特許文献１】特開２００４−５７６５６号公報
【発明の開示】
【発明が解決しようとする課題】
【０００５】
本発明は、上記のような引出しや扉において引手やハンドルに内装するラッチ機構の解除レバーや解除ノブに起因した問題点に鑑みると共に、先に提案した発明をさらに改善し、引手やハンドルにラッチの解除レバーや解除ノブを設けることを要しないラッチ機構を提供することを、その課題とする。
【課題を解決するための手段】
【０００６】
上記課題を解決することを目的としてなされた引出し用の本発明ラッチ機構の構成は、引出し本体における前面板を、前面板本体とその外面に装着される鏡板の２層構造に形成し、その鏡板の下部を前面板本体に対し水平な軸で枢着して当該鏡板を前記軸を中心にして前後揺動可能に設けると共に、前記前面板本体の前面に、下部がバネを介挿した水平軸で枢着されその水平軸を中心に前後揺動可能かつ常時起立側に前記バネで付勢された揺動体であって、前記鏡板の揺動に連動される揺動体を設ける一方、前記前面板に近い引出し本体の側壁外面に、垂直軸で枢着されて平面内で角回転可能であってバネによって常時掛止側に付勢されたラッチ部材を設け、かつ、前記揺動体の前後揺動を前記ラッチ部材のラッチ解除側に水平面内で回転させる回転変換部を前記揺動体の水平軸とラッチ部材の垂直軸により形成してラッチ機構を構成し、前記鏡板を手前に引いて揺動させるとラッチ部材がラッチ解除側に回転されるように形成したことを特徴とするものである。
【０００７】
また、上記課題を解決することができる扉用の本発明ラッチ機構の構成は、家具の扉を外面板と内面板の２層構造に形成し、その外面板の一側端部を内面板の対応する端部に垂直な軸で枢着して当該外面板を前記軸を中心にして前後揺動可能に設ける一方、前記内面板の他側端の側に、バネを介挿した垂直軸により枢着されその軸を中心に前後揺動可能かつ常時内面板側に前記バネで付勢された揺動体であって前記前面板の揺動に連動する揺動体を設けると共に、この内面板の前記垂直軸に近い他側端側に、第二垂直軸により枢着されることにより平面内で角回転可能であってバネによって常時係止側に付勢されたラッチ部材を設け、かつ、前記揺動体の前後揺動を前記ラッチ部材のラッチ解除側に水平回転させる回転変換部を前記揺動体の垂直軸とラッチ部材により形成してラッチ機構を構成し、前記外面板を手前に引いて揺動させると前記ラッチ部材が解除側に回転されるように形成したことを特徴とするものである。この扉用のラッチ機構では、揺動体の垂直軸とラッチ部材の第二垂直軸を同じ垂直軸で共用する構成を採ることもある。
【発明の効果】
【０００８】
引出し用の本発明ラッチ機構は、引出し本体における前面板を、前面板本体とその外面に装着される鏡板の２層構造に形成し、その鏡板の下部を前面板本体に対し水平軸で枢着して当該鏡板を前記水平軸を中心にして前後揺動可能に設けると共に、前記前面板本体の前面に、下部がバネを介挿した水平軸で枢着されその水平軸を中心に前後揺動可能かつ常時起立側に前記バネで付勢されたな揺動体であって、前記鏡板の揺動に連動される揺動体を設ける一方、前記前面板に近い引出し本体の側壁外面に、垂直軸で枢着されて平面内で角回転可能であってバネによって常時掛止側に付勢された平面略Ｌ状をなすラッチ部材を設け、かつ、前記揺動体の前後揺動を前記ラッチ部材のラッチ係止解除側に水平面内で回転させる回転変換部を前記揺動体の水平軸とラッチ部材の垂直軸により形成してラッチ機構を構成し、前記鏡板を手前に引いて揺動させるとラッチ部材がラッチ解除側に回転されるように形成したので、引出しの引手やハンドルに何らの付加構造も必要とせず、従って、引手ハンドルの形態上，デザイン上の自由度がきわめて大きくなる。扉用の本発明ラッチ機構においても同様の効果がある。
【発明を実施するための最良の形態】
【０００９】
次に本発明ラッチ機構の実施の形態例について、図を参照して説明する。図１は一例としてラッチ部を引出しの左側に設けた本発明ラッチ機構の例を説明するため引出しの前面部を分解した斜視図、図２は図１の本発明ラッチ機構の例における要部を説明するための正面透視図、図３は図２の本発明ラッチ機構の要部を説明するための側面透視図、図４は図２の要部の平面図、図５は扉用の本発明ラッチ機構を説明するための斜視図、図６は図５のラッチ機構のにおける要部の模式的平面図である。
【００１０】
図１〜図４において、TBは引出し本体で、公知の引出し本体とほぼ同様に前面板本体１、底壁２、左，右の側壁３，４、後壁（図１に表われず）から形成され、通常は前面板本体１の前面に装着される鏡板６に引手５が設けられているが、図１に示した本発明の一例では、前記前面板本体１と鏡板６の間と左側の側壁３に亘って本発明ラッチ機構が設けられているので、以下この点について説明する。
【００１１】
前面板本体１は前面が全面的に開口した浅底の箱状をなし、その前面略中央に、水平な回転作動体として作用する水平軸８を支持するための穴軸受7aと水平な切欠軸受7bを下部に具備した左右の軸受板７，７を設け、前記軸受7a，7bにバネ7cを介挿して軸８を回転自在に支持させて設けると共に、この軸８に、上方に係止辺9aを有する揺動板９の下部が固定されていることにより、前記揺動板９が前後に揺動すると軸８が回転するように形成されている。そして前記軸８は、前面板本体１の図における左側近傍にまで延びており、当該軸８の左側端部が垂直に立上がった角回転作用部8aに形成されている。
【００１２】
一方、引出し本体TBの左側壁３における前端部近くには、前記軸８に形成した回転作用部8aの作用を受けるラッチ部10が設けられているので、次にラッチ部10の構成について、図１のほか、図２〜図４も参照して説明する。図１に示した例では前面板本体１を囲む外周枠1aの左方に、図２，図４の前面板本体１と外周枠1aの左方に、垂直軸11を回転自在に支持する軸受12を設けると共に、図の例では軸11の上部を前面板本体１と平行する向きで水平に曲げて、上記の回転作用部8aに対向した受動バー13を形成している。
【００１３】
また、この垂直軸11には、引出し本体TBを搭載したキャビネット等の筺体（図示せず）の内壁面に設けられて平面から見て略直角三角形状などの凸状を呈するラッチ受（図示せず）に掛止される凹部又は穴14aを有するラッチ14を、引出し本体TBの側壁３に略平行な向きで固定して設けることにより、ラッチ部10が形成されている。なお、上記垂直軸11は、図に表われないが、この軸11を、図１，図４において常時反時計回り方向（ラッチ14を側壁３と平行にする方向）に付勢するバネを具備している。また、受動バー13と垂直軸11は別部材で形成することもある。
【００１４】
上記ラッチ部10と先に述べた揺動板９と角回転作用部8aを有する水平軸８を設けた引出し本体TBの前面板本体１には、外周枠1aの内側の左右側の下部寄りに設けた左右の水平軸15a，15bを鏡板６の裏面下部寄りの左右側に設けた軸受16a，16bに支持させることにより、鏡板６が装着されている。
【００１５】
また、鏡板６の前面には上部寄り中央部に平面略Ｕ状など適宜の平面形状を有する引手５が２本の脚状端部5a，5aにおいて取付けられていると共に、当該鏡板６の背面（裏面）に、平面から見て逆凹状の係合部17aを有する係合部材17が取付けられ、その係合部17aが前記揺動板９における係止辺9aに係合させられている。なお、本発明における引手５の形態は、上記例の形態に限られるものではなく、全く任意の形態の引手を用いることができ、また、引手５を設けない鏡板６にも本発明ラッチ機構は適用可能である。
【００１６】
上記構成により引出し用の本発明ラッチ機構の一例を構成するが、その作用は次の通りである。引手５を手前（図1では右方、図３では左方）へ引くと、該引手５と一体の鏡板６が軸15a，15b中心にして図１の手前側へ倒れるように揺動（角回転）し、係合部17aにおいて係止辺9aに連結された揺動板９を手前側に角回転させるから、この動作により水平軸８が図３の反時計回り方向（図１では手前側）に角回転し、これによって当該軸８と一体の回転作動部8aも手前側に揺動（角回転）する。
【００１７】
そうすると、上記作動部8aに対向して配置されている垂直軸11と一体の受動バー13が、その軸11を中心に図４の時計回り方向に角回転させられるので、当該軸11と一体のラッチ14は、凸状のラッチ受（図示せず）に穴14aにおいて掛止されていた状態から離脱する（図４の仮想線参照）。これによって引出し本体TBは、引手５を図３の左方（図１では右方）にそのまま引けば、キャビネット等の筺体（図示せず）から引出されることとなる。
【００１８】
上述のように本発明ラッチ機構では、引出TBの前面部材である鏡板６を手前側に揺動させれば、この動作が係合部材17，揺動板９，水平軸８を経由してラッチ14を解除側に回転させる受動バー13を備えた垂直軸11を回転させて、ラッチ受（図示せず）に穴14aにおいて係止されているラッチ14を離脱させて、引出TBの引出し動作を許容するように作用する。従って、本発明ラッチ機構を採用した引出鏡板６では、引出５の形態，外形が何らの制約なく任意のものを使用することができるのみならず、引手５を全く設けず、鏡板６の上辺に引手作用部を形成した引出TBにも適用可能である。
【００１９】
上記の実施例においては、鏡板６は前面板本体１と対応した一枚形態のものであったが、本発明ラッチ機構では、前記例の一枚ものの鏡板６を上，下で二分した形態とし、その上半部を水平な軸を介して下半部又は前面板本体１に前後揺動可能に枢着した構造の鏡板（図示せず）を使用することもできる。この場合、二分した鏡板の下半部は前面板本体１に固定し当該本体１と予め一体化していることが好ましい。また、二分した鏡板の上半部の前面に、引手を設けるか、或は、引手を設けずこの上半部に引手機能部を形成するかは、任意に選択できる。なお、鏡板６の上半部に係合部17aを有する係合部材17が設けられた場合、揺動板９も前面板本体１において対応位置に設けられる。
【００２０】
以上の本発明ラッチ機構は、引出し用であったが、本発明ラッチ機構は、両開き扉や片開き扉のラッチ機構にも適用できるので、その一例の概要について、図５，図６により説明する。
【００２１】
図５の本発明ラッチ機構の例は、一言でいえば図１〜図４により説明した引出し用のラッチ機構を90度立てた形態のものとして捉えることができる。
即ち、図５，図６に例示したように、扉用のラッチ機構は、まず両開き用或は片開き用の扉Drを、内面板21と外面板26による内部中空の２層構造としている。そして前記外面板26の一側端部を内面板21の対応する端部の上下で垂直軸215aにより枢着し当該外面板26を前記垂直軸215aを中心にして内面板21に対し前後揺動可能に設けている。一方、前記内面板21の他側の端部側に、垂直軸28に固定して支持されかつその軸28を内面板21に枢着することにより軸28を中心に前後揺動する揺動体29であって、前記外面板26の揺動に連動する揺動体29を設けている。
【００２２】
次に、内面板21の他側端側の上下に、前記垂直軸28又は別の垂直軸（図６の28´参照）の上下部に取付けられて内面板21に枢着され平面内で角回転可能であると共に、バネ（図に表われず）によって常時係止側に付勢されたラッチ部材214を前記軸28の上，下又は別の軸28に設け、かつ、前記揺動体29の前後揺動を、前記ラッチ214，214をその解除側に水平回転させる回転変換部を前記揺動体29の垂直軸28とラッチ部材214の垂直部位又は別の垂直軸28´により形成している。これによって扉用の本発明ラッチ機構を構成したので、前記外面板26をそのハンドル25によって手前に引いて揺動させると、前記ラッチ部材214が解除側に回転されるのである。
【００２３】
扉用のラッチ機構においても、外面板26を左右で二分し、好ましくはラッチ機構の垂直軸28に近い部位で分けてその分割部位を内面板21又は分割した他側に揺動可能に枢着した外面板26の形態を採ることができる。
【産業上の利用可能性】
【００２４】
本発明ラッチ機構は以上の通りであって、引出用ラッチ機構においては、引出し本体における前面板を、前面板本体とその外面に装着される鏡板の２層構造に形成し、その鏡板の下部を前面板本体に対し水平軸で枢着して当該鏡板を前記水平軸を中心にして前後揺動可能に設けると共に、前記前面板本体の前面に、下部がバネを介挿した水平軸で枢着されその水平軸を中心に前後揺動可能かつ常時起立側に前記バネで付勢されたな揺動体であって、前記鏡板の揺動に連動される揺動体を設ける一方、前記前面板に近い引出し本体の側壁外面に、垂直軸で枢着されて平面内で角回転可能であってバネによって常時掛止側に付勢された平面略Ｌ状をなすラッチ部材を設け、かつ、前記揺動体の前後揺動を前記ラッチ部材のラッチ係止解除側に水平面内で回転させる回転変換部を前記揺動体の水平軸とラッチ部材の垂直軸により形成してラッチ機構を構成したので、鏡板又は引手を引くだけでラッチの解除をすることができ、従って、引手にラッチ解除のための部材を設けるために特別な加工や工作が不要になる。この利点は、扉用のラッチ機構においても同様に得られる。
【００２５】
また、従来は引手に内装していたラッチ解除のための部品を引手内に設けないので、引手の形態，構造の自由度が飛躍的に高まり、これが鏡板の前面に対する特別な加工，工作が不要となることと相俟って、引出し用のラッチ機構を低コストかつ容易に製造することを可能にする。上記の利点は、本発明ラッチ機構を両開き扉或は片開き扉に適用した場合も同様に得ることができる。
【図面の簡単な説明】
【００２６】
【図１】ラッチ部を引出しの左側に設けた本発明ラッチ機構の例を説明するため引出しの前面部を分解した斜視図。
【図２】図１の本発明ラッチ機構の例における要部を説明するための正面透視図。
【図３】図２の本発明ラッチ機構の要部を説明するための側面透視図。
【図４】図２の要部の平面図。
【図５】扉用の本発明ラッチ機構を説明するための斜視図。
【図６】図５のラッチ機構のにおける要部の模式的平面図。
【符号の説明】
【００２７】
１        前面板本体
２        底壁
３，４    側壁
５        引手
６        鏡板
７        軸受板
８        水平軸
９        揺動板
10        ラッチ部
11        垂直軸
12        軸受
13        受動バー
14        ラッチ
15a，15b  鏡板６の支持軸
16a，16a  鏡板５に設けた軸受
17        揺動板９との係合部材
17a       揺動板９の係止辺9aとの係合部
【図１】
2005336913.tif 000003
【図２】
2005336913.tif 000004
【図３】
2005336913.tif 000005
【図４】
2005336913.tif 000006
【図５】
2005336913.tif 000007
【図６】
2005336913.tif 000008